(57)【要約】【課題】参照信号源に自由度を持たせる必要のない安価な光制御型アレーアンテナ装置を提供する。【解決手段】受信時に、各送受信モジュール(３３ａ)で素子アンテナ(３２ａ)で受信された電波ビームによる高周波信号を、光ビーム形成器からのアンテナ開口分布となり電波ビーム毎に固定の周波数のそれぞれの信号光(３０)に基づき光ミクサ(４１)で周波数変換してＩＦ光信号(４５)に変換し、検波手段で、それぞれのＩＦ光信号を受信した電波ビーム数に分配しそれぞれに光ビーム形成器からの信号光(３０)に基づく固定帯域の光通過フィルタで所望周波数成分を抽出して受信信号処理器に出力する。【選択図】図３
2008219085.tif 000002
【特許請求の範囲】
【請求項１】
アレーアンテナの送受信を光信号を使用して制御する光制御型アレーアンテナ装置であって、
光制御励振機、光ビーム形成器、前記アレーアンテナを構成するＭ個(Ｍは正の整数)の素子アンテナ、前記Ｍ個の素子アンテナのそれぞれに設けられた送受信モジュール、検波手段を備え、
送信時に、前記光制御励振機で、それぞれ異なる高周波信号で変調されたＮ個(Ｎは正の整数)の送信する電波ビームのためのＮ個の第１の光信号を波長多重した第２の光信号を出力し、前記光ビーム形成器で、Ｍ個の前記各送受信モジュールに対して前記第２の光信号を波長分配して空間光強度変調を施し所望の電波ビーム形状と指向方向の情報を含みかつアンテナ開口分布となる信号光を生成して個々に送り、前記各送受信モジュールで、それぞれに入力された前記信号光を光電変換した高周波信号に従って前記素子アンテナを駆動し前記アレーアンテナから電波ビームをそれぞれ照射させ、
受信時に、前記各送受信モジュールで、前記素子アンテナで受信された電波ビームによる高周波信号を、前記光ビーム形成器からのアンテナ開口分布となり電波ビーム毎に固定の周波数のそれぞれの信号光に基づき光ミクサで周波数変換してＩＦ光信号に変換し、前記検波手段で、それぞれのＩＦ光信号を受信した電波ビーム数に分配しそれぞれに前記光ビーム形成器からの信号光に基づく固定帯域の光通過フィルタで所望周波数成分を抽出して受信信号処理器に出力する、
ことを特徴とする光制御型アレーアンテナ装置。
【請求項２】
検波手段において、所望周波数成分を抽出したＩＦ光信号を、光電変換器で光電変換しさらにＡ／Ｄ変換器でＡ／Ｄ変換を行いデジタル信号に変換して受信信号処理器に出力することを特徴とする請求項１に記載の光制御型アレーアンテナ装置。
【請求項３】
光ビーム形成器において、所望の電波ビーム形状と指向方向の情報を含む信号光を得るための空間光強度変調を行う空間光強度変調分配器を送信する電波ビーム毎に設け独立に制御することを特徴とする請求項１又は２に記載の光制御型アレーアンテナ装置。
【発明の詳細な説明】
【技術分野】
【０００１】
この発明は、光制御型アレーアンテナ装置に関するものである。
【背景技術】
【０００２】
光制御型アレーアンテナ装置は送受信において複数の電波ビームを形成できるものである(例えば特許文献１参照)。従来の光制御型アレーアンテナ装置は、開口分布を形成するフーリエ変換レンズへ入力する光の入射位置を制御することで電波ビームの指向方向を制御する。フーリエ変換レンズへの光の入射位置は放射レンズアレーと光放射器で制御しており、光放射器から所望の電波ビームの指向方向に対応した放射レンズアレーの或る一部にのみに光を照射することで動作する。この場合、或る放射レンズに１つの周波数の高周波情報のみを送り出して電波ビームを走査する装置のため、同じ方向に異なる周波数の電波ビームを出すことができないという制約がある。また、実現のためには時分割等で対応しなければならず、アンテナ装置としてビームマネージメント能力が低下するという問題がある。
【０００３】
また、受信においては、到来する受信信号と参照信号の差がベースバンド信号の周波数になるため、到来する受信信号に合わせて参照信号を変化させないとベースバンド信号の周波数がその都度変わる。よって、参照信号源に自由度を持たせるため広帯域高周波源にするか、参照信号を変えないならば、ベースバンド信号の周波数に応じて自由度のある通過帯域が可変するフィルタ、もしくは帯域の異なる固定通過帯域フィルタを多数有する必要があり、規模が大きくなり高価な装置となるという問題がある。
【０００４】
【特許文献１】特開平１０−６５４３４号公報
【発明の開示】
【発明が解決しようとする課題】
【０００５】
以上のように、従来の光制御型アレーアンテナ装置においては、受信の際、参照信号源に自由度を持たせるため広帯域高周波源にするか、ベースバンド信号の周波数に応じて自由度のある復調器と通過帯域が可変するフィルタ、もしくは帯域の異なる固定通過帯域フィルタを数種類設ける必要があり、大規模で高価な装置となるという問題があった。また、同じ方向に異なる周波数の電波ビームを出すことができないという制約があり、レーダ装置として用いる場合、ビームマネージメント能力が低下するという問題がある。
【０００６】
この発明は上記のような課題を解消するためになされたものであり、複数の電波ビームを送受信できる光制御型アレーアンテナ装置において、参照信号源に自由度を持たせる必要がなく安価で、またビームマネージメント能力に優れた光制御型アレーアンテナ装置を提供することを目的とする。
【課題を解決するための手段】
【０００７】
この発明は、アレーアンテナの送受信を光信号を使用して制御する光制御型アレーアンテナ装置であって、光制御励振機、光ビーム形成器、前記アレーアンテナを構成するＭ個(Ｍは正の整数)の素子アンテナ、前記Ｍ個の素子アンテナのそれぞれに設けられた送受信モジュール、検波手段を備え、送信時に、前記光制御励振機で、それぞれ異なる高周波信号で変調されたＮ個(Ｎは正の整数)の送信する電波ビームのためのＮ個の第１の光信号を波長多重した第２の光信号を出力し、前記光ビーム形成器で、Ｍ個の前記各送受信モジュールに対して前記第２の光信号を波長分配して空間光強度変調を施し所望の電波ビーム形状と指向方向の情報を含みかつアンテナ開口分布となる信号光を生成して個々に送り、前記各送受信モジュールで、それぞれに入力された前記信号光を光電変換した高周波信号に従って前記素子アンテナを駆動し前記アレーアンテナから電波ビームをそれぞれ照射させ、受信時に、前記各送受信モジュールで、前記素子アンテナで受信された電波ビームによる高周波信号を、前記光ビーム形成器からのアンテナ開口分布となり電波ビーム毎に固定の周波数のそれぞれの信号光に基づき光ミクサで周波数変換してＩＦ光信号に変換し、前記検波手段で、それぞれのＩＦ光信号を受信した電波ビーム数に分配しそれぞれに前記光ビーム形成器からの信号光に基づく固定帯域の光通過フィルタで所望周波数成分を抽出して受信信号処理器に出力する、ことを特徴とする光制御型アレーアンテナ装置にある。
【発明の効果】
【０００８】
この発明により、参照信号源に自由度を持たせる必要のない安価な光制御型アレーアンテナ装置を提供できる。
【発明を実施するための最良の形態】
【０００９】
実施の形態１．
図１はこの発明の一実施の形態による光制御型アレーアンテナ装置の構成図である。図１において、光制御励振機８はＮ個(Ｎは正の整数)の光高周波発生器４ａ〜４ｎと光多重器９を含む。各光高周波発生器４ａ〜４ｎは、光搬送波信号５ａ〜５ｎを発生する光源１ａ〜１ｎ、高周波信号６ａ〜６ｎを発生する高周波信号源２ａ〜２ｎ、高周波信号の情報を搬送する(第１の)光信号７ａ〜７ｎを出力する光変調器３ａ〜３ｎをそれぞれ含む。各光変調器３ａ〜３ｎは光ファイバ１０ａ〜１０ｎでそれぞれ光多重器９に接続されている。光多重器９は光ファイバ１０ｏにより光ビーム形成器１２に接続され、波長多重された高周波信号の情報を搬送する(第２の)光信号１１を出力する。
【００１０】
光ビーム形成器１２は、アレーアンテナを構成するＭ個(Ｍは正の整数)の素子アンテナ３２ａ〜３２ｍにそれぞれ設けられた送受信モジュール３３ａ〜３３ｍに光ファイバ３１ａ〜３１ｍで接続されている。
【００１１】
送受信モジュール３３ａ〜３３ｍは光ファイバ６１ａ〜６１ｍにより光波長分配器４６ａ〜４６ｍにそれぞれ接続され、光波長分配器４６ａ〜４６ｍは光信号加算器４７ａ〜４７ｎのそれぞれに接続されている。そして光信号加算器４７ａ〜４７ｎには、光通過フィルタ４８ａ〜４８ｎ、光電変換器４９ａ〜４９ｎ、アナログ／デジタル(Ａ／Ｄ)変換器５０ａ〜５０ｎがそれぞれ順に接続され、アナログ／デジタル変換器５０ａ〜５０ｎの出力は受信信号処理器５１に接続されている。なお、光波長分配器４６ａ〜４６ｍ、光信号加算器４７ａ〜４７ｎ、光通過フィルタ４８ａ〜４８ｎ、光電変換器４９ａ〜４９ｎ、アナログ／デジタル変換器５０ａ〜５０ｎが検波手段を構成する。
【００１２】
図２は図１の光ビーム形成器１２の構成の一例を示す。波長分配手段を有する分配器１３は光ファイバ１０ｏにより光信号１１を受け、放射端子１５ａ〜１５ｎから光搬送波信号５ａ〜５ｎを出力し、また光参照信号用のＮ個の放射端子２４ａ〜２４ｎから光参照信号１４ａ〜１４ｎを出力する。ビーム形成指示部１７で制御される空間光強度変調器１６ａは、光搬送波信号５ａ〜５ｎを受けて所望の電波ビーム形状と指向方向の情報となる光ビーム形状を有する光搬送波信号１８a〜１８ｎを出力する。
【００１３】
光搬送波信号１８a〜１８ｎはミラー１９で反射されて、波長多重された所望の電波ビーム形状と指向方向の情報となる光ビーム形状を有する光搬送波信号２０となり、フーリエ変換レンズ２１を介して波長多重されたアンテナ開口分布の情報を搬送する光搬送波信号２２となる。
【００１４】
一方、分配器１３の放射端子２４ａ〜２４ｎから出力された光参照信号１４ａ〜１４ｎは光合成器２５で波長多重された光参照信号２６となり、さらにビーム拡大レンズ２７を介して波長多重されかつ所望のビーム幅を有する光参照信号２８となり、ミラー２９で反射されて光合成器２３に入力される。
【００１５】
光合成器２３は光搬送波信号２２と光参照信号２８を合成して、アンテナ開口分布となる信号光３０を光ファイバ３１ａ〜３１ｍからなるファイバアレーに送る。
【００１６】
図３は図１の送受信モジュール３３ａ〜３３ｍの構成の一例を示す。図３は送受信モジュール３３ａの場合を示す。光ファイバ３１ａにより光ビーム形成器１２からの信号光３０を受ける光スイッチ３４の送信ルートには、光ファイバ１０ｐ、光電変換器３５、高周波線路３６ａ、高周波増幅器３７、高周波線路３６ｂ、サーキュレータ３８が順に接続され、サーキュレータ３８は高周波線路３６ｃによりアレーアンテナを構成する素子アンテナ３２ａに接続されている。
【００１７】
また素子アンテナ３２ａからの受信信号３９を受ける受信ルートには、サーキュレータ３８から高周波線路３６ｄ、低雑音増幅器４０、高周波線路３６ｅ、光ミクサ４１が順に接続されている。光ミクサ４１のポートＡ４２には高周波線路３６ｅ、ポートＢ４３には光スイッチ３４からの光ファイバ１０ｑ、ポートＣ４４にはＩＦ光信号４５を出力する光ファイバ６１ａが接続されている。
【００１８】
また、図４の(ａ)には(第１の)光信号７ａの周波数スペクトル、(ｂ)には(第２の)光信号１１の周波数スペクトルを示す。
【００１９】
以下、図に従って動作を説明する。図１に示す光源１ａと高周波信号源２ａと光変調器３ａで構成される光高周波発生器４ａにおいて、光源１ａで生成された光搬送波信号５ａと高周波信号源２ａで生成された高周波信号６ａが光変調器３ａに入力される。光搬送波信号５ａと高周波信号６ａが入力された光変調器３ａでは光搬送波信号５ａがキャリア信号として高周波信号６ａを搬送するように変調され、高周波信号の情報を搬送する光信号７ａを生成し、光高周波発生器４ａの出力信号となる。Ｎ個の電波ビームの送受信を実現させる場合には、図１に示すように電波ビームと同数となる複数の光高周波発生器４ａ〜４ｎを有することになる。なお、このとき高周波信号源２ａ〜２ｎは、送信時の場合には送信信号源、受信時の場合にはビーム走査の位相勾配を搬送する参照信号源となる。
【００２０】
光制御励振機８は、上述のＮ個の光高周波発生器４ａ〜４ｎと光多重器９とそれらを接続するＮ本の光ファイバ１０ａ〜１０ｎで構成される。Ｎ個の光高周波発生器４ａ〜４ｎから出力されるＮ個の高周波信号の情報を搬送する光信号７ａ〜７ｎは、図４の(ｂ)に示すように各々が干渉しないような十分離れた周波数帯域で生成され、Ｎ個の光ファイバ１０ａ〜１０ｎを介して光多重器９に入力され、光多重器９により波長多重され、光多重器９は波長多重された高周波信号の情報を搬送する光信号１１を生成し出力する。なおこのとき、Ｎ個の前記高周波信号の情報を搬送する光信号７ａ〜７ｎの高周波信号の周波数は、キャリアとなる光信号の周波数が異なるため全て同じ周波数でも問題ない。また、図４に示す変調方式の態様は説明するための一例であり、任意の変調方式でよい。
【００２１】
光制御励振機８から出力された波長多重された高周波信号の情報を搬送する光信号１１は光ファイバ１０ｏを介して光ビーム形成器１２に入力される。
【００２２】
光ビーム形成器１２における波長多重された高周波信号の情報を搬送する光信号１１の伝送形態について図２を用いて説明する。図２において、光ファイバ１０ｏより波長多重された高周波信号の情報を搬送する光信号１１が光ビーム形成器１２内に入力され、光ビーム形成器１２内に設けられた波長分配手段を有する分配器１３に入力され、波長分配されて、波長多重された高周波信号の情報を搬送する光信号１１は光搬送波信号５ａ〜５ｎと高周波信号６ａ〜６ｎを搬送するために生成されたＮ個の光参照信号１４ａ〜１４ｎに分配される。
【００２３】
波長分配手段を有する分配器１３により分配されたＮ個の光搬送波信号５ａ〜５ｎは、Ｎ個の放射端子１５ａ〜１５ｎよりＮ個の空間光強度変調器１６ａにそれぞれ放射される。
【００２４】
空間光強度変調器１６ａでは、ビーム形成指示部１７ａからの指令を受けて光搬送波信号５ａ〜５ｎに対して空間的な強度変調を行い、所望の電波ビーム形状と指向方向の情報となる光ビーム形状を有する光搬送波信号１８ａ〜１８ｎを生成し、ミラー１９へ出力する。
【００２５】
ミラー１９は、ミラー１９に出力された所望の電波ビーム形状と指向方向の情報となる光ビーム形状を有する光搬送波信号１８ａ〜１８ｎを再度波長多重して、波長多重された所望の電波ビーム形状と指向方向の情報となる光ビーム形状を有する光搬送波信号２０を生成し、フーリエ変換レンズ２１へ出力する。
【００２６】
フーリエ変換レンズ２１は、入射された波長多重された所望の電波ビーム形状と指向方向の情報となる光ビーム形状を有する光搬送波信号２０を逆フーリエ変換して、波長多重されたアンテナ開口分布の情報を搬送する光搬送波信号２２に変換し光合成器２３に出力する。
【００２７】
一方、波長分配手段を有する分配器１３により分散されたＮ個の光参照信号１４ａ〜１４ｎは、波長分配手段を有する分配器１３の側にある光参照信号用のＮ個の放射端子２４ａ〜２４ｎより光合成器２５に放射され、光合成器２５で再度波長多重されて波長多重された光参照信号２６を生成し、ビーム拡大レンズ２７へ入力する。
【００２８】
ビーム拡大レンズ２７へ入力した波長多重された光参照信号２６は、多重されたアンテナ開口分布の情報を搬送する光搬送波信号２２と同じビーム幅となる波長多重されかつ所望のビーム幅を有する光参照信号２８にされ、ミラー２９へ放射される。
【００２９】
ミラー２９へ放射された波長多重されかつ所望のビーム幅を有する光参照信号２８は、光合成器２３に入力される。
【００３０】
光合成器２３は、波長多重されたアンテナ開口分布の情報を搬送する光搬送波信号２２と波長多重されかつ所望のビーム幅を有する光参照信号２８を波長多重で合成し、アンテナ開口分布となる信号光３０を生成し、ファイバアレーを形成する光ファイバ３１ａ〜３１ｍに放射する。
【００３１】
ファイバアレーを形成する光ファイバ３１ａ〜３１ｍは、図１におけるＭ個の素子アンテナ３２ａ〜３２ｍの配列に対応してファイバが配列されており、アンテナ開口分布となる信号光３０をＭ個にサンプリングして、図１における送受信モジュール３３ａ〜３３ｍ内に入力する。
【００３２】
図３に示した送受信モジュールは送信時と受信時で動作が異なる。なお、送受信モジュール３３ａ〜３３ｍは同じ動作をするものである。
【００３３】
まず送信時について、ファイバアレーの光ファイバ３１ａより、アンテナ開口分布となる信号光３０が入力される。その後、光スイッチ３４と光ファイバ１０ｐを介して光電変換器３５に送り、光電変換器３５で電波ビームの情報を有する送信の電気信号に変換し、高周波線路３６ａを介して高周波増幅器３７に送られ、振幅増幅後に高周波信号３６ｂを介してサーキュレータ３８に送られ、その後、高周波線路３６ｃを介して素子アンテナ３２ａに送り、素子アンテナ３２ａが駆動されて空間に放射される。同様に他の送受信モジュールでも電波ビームの情報を有する高周波信号の送信信号を生成し、素子アンテナで放射することで、素子アンテナ３２ａ〜３２ｍからなるアレーアンテナから所望の電波ビームを形成して空間に放射する。
【００３４】
次に受信時について、素子アンテナ３２ａから高周波信号の受信信号３９が送受信モジュール３３ａに入力され、高周波線路３６ｃを介してサーキュレータ３８に送られ、その後、高周波線路３６ｄを介して低雑音増幅器４０に送られ、その後、光ミクサ４１のポートＡ４２に入力される。
【００３５】
一方、ファイバアレーの光ファイバ３１ａよりサンプリングされたアンテナ開口分布となる信号光３０は、スイッチ３４を介して光ミクサ４１のポートＢ４３に入力され、ポートＣ４４よりＩＦ光信号４５が生成されて出力される。
【００３６】
ここで、光ミクサ４１がＩＦ光信号４５を生成するまでの説明をする。図５の(ｂ)には光ミクサの出力の周波数スペクトル、(ａ)には(ｂ)のうちの１つの電波ビームにおける周波数スペクトルを示す。図５の(ａ)において、受信信号３９の周波数をｆRF、アンテナ開口分布となる信号光３０における光搬送波の周波数をｆopt、アンテナ開口分布となる信号光３０における光参照信号の周波数をｆopt＋ｆLo、高周波の参照信号をｆLo、生成されるIF光信号４５をｆIFとする。
【００３７】
ポートＡ４２より入力された受信信号３９とポートＢ４３より入力されたアンテナ開口分布となる信号光３０を混合すると、図５の(ａ)に示すように、アンテナ開口分布となる信号光３０における光搬送波の周波数ｆoptとアンテナ開口分布となる信号光３０における光参照信号の周波数ｆopt＋ｆLoの両側に、ｆopt-ｆRF、ｆopt＋ｆLo -ｆRF、ｆopt＋ｆRF、ｆopt＋ｆLo ＋ｆRFの４つのスペクトラムが発生する。
【００３８】
このうち、ｆopt＋ｆLo -ｆRFのスペクトラムとアンテナ開口分布となる信号光３０における光搬送波の周波数ｆopt間のｆIF、又はｆopt＋ｆRFのスペクトラムとアンテナ開口分布となる信号光３０における光参照信号の周波数のｆopt＋ｆLo間の周波数ｆIFがＩＦ信号の周波数ｆIFとなる。アンテナ開口分布となる信号光３０には電波ビームと同数の光搬送波と光参照信号があるため、図５の(ｂ)のようなビーム毎の光信号群が光ミクサ４１より出力され、送受信モジュール３３ａの受信信号の出力波(ＩＦ光信号４５)となる。なお、このとき、アンテナ開口分布の光搬送波と光参照信号は受信信号には依存しないビーム毎に固定となる周波数となる。なお、送受信モジュール３３ａ〜３３ｍは同じように動作して、同様な受信信号の出力波を出力する。
【００３９】
送受信モジュール３３ａ〜３３ｎのＩＦ光信号４５は、図１に示すように光波長分配器４６ａ〜４６ｍでビーム毎にビーム数と同数のＮ個に分配される。
【００４０】
分配されたビーム毎のＮ個のＩＦ光信号は、光信号加算器４７ａ〜４７ｎでビーム毎に加算され、その先の光通過フィルタ４８ａ〜４８ｎでｆopt＋ｆLo -ｆRFのスペクトラムとアンテナ開口分布となる信号光３０における光搬送波の周波数ｆopt、又はｆopt＋ｆRFのスペクトラムとアンテナ開口分布となる信号光３０における光参照信号の周波数のｆopt＋ｆLoのみを通過させ、ＩＦ信号の検波に必要な光信号のみがその先の光電変換器４９ａ〜４９ｎに入力されて、所望のＩＦ電気信号を得る。
【００４１】
このとき、光通過フィルタ４８ａ〜４８ｎは受信周波数であるｆRFには依存しないため、例えば異なる周波数のＭ個の受信信号が素子アンテナ３２ａ〜３２ｍに到来したとしても、アンテナ開口分布となる信号光３０における光搬送波の周波数のＭ個のｆoptに対応した固定帯域を有する光フィルタがあればよい。その後、ＩＦ電気信号はアナログ／デジタル変換器５０ａ〜５０ｎでデジタル信号に変換されて、受信信号処理器５１によりレーダもしくは通信等に必要な受信信号処理が成される。
【００４２】
この実施の形態によれば、素子アンテナから受信される受信信号と電波ビームの情報を有する信号を混合する手段として光の領域で周波数変換する光ミクサを用いることで、従来の光制御型アレーアンテナ装置のように受信信号と参照信号の周波数差が一定となるように参照信号の周波数を可変するための高価な広帯域高周波信号源や、あるいはＩＦ信号の周波数に応じて通過帯域を可変する高価なフィルタを用いる必要がなくなり、受信信号の周波数に依存しない搬送波の周波数に応じた固定の通過帯域を有する安価な光通過フィルタを用いることが可能となる。これにより、アンテナ装置として同等な機能を有しながらも安価に実現できる。
【００４３】
また、本実施の形態による構成においては、デジタル信号処理により受信信号を処理する機能を有することから、デジタルビームフォーミングによる電波ビーム形成も可能となり、光ビーム形成器と組み合わせることにより、ビーム形成の自由度が広がるため、多用なアンテナ装置を実現できる。
【００４４】
実施の形態２．
図６にはこの実施の形態による光制御型アレーアンテナ装置の光ビーム形成器の構成の一例を示す。その他の部分は上記実施の形態のものと同じである。図６において上記実施の形態と同一もしくは相当部分は同一符号で示す。
【００４５】
図６の光ビーム形成器１２においては、空間光強度変調器１６ａ〜１６ｎ及びこれらを制御するそれぞれのビーム形成指示部１７ａ〜１７ｎを備える。他の部分は図２と基本的に同様である。
【００４６】
この実施の形態では、空間光強度変調器１６ａ〜１６ｎを電波ビーム毎に一台ずつ設けてあり、独立して制御できるため、例えば、空間光強度変調器１６ａと空間光強度変調器１６ｂを同じ電波ビーム方向にビーム走査指示ができるようになる。
【００４７】
この実施の形態によれば、高周波信号源２ａと高周波信号源２ｂで異なる周波数の高周波信号が生成されれば、同じ方向に異なる周波数で電波ビームが形成できるようになり、ビームマネージメント能力が向上する。このため例えば、従来の光制御型アレーアンテナ装置で高周波信号の周波数を瞬時に変化させて広帯域性を持たせ距離分解能を向上させる場合に発生していたビーム指向方向のスクイントによる利得低下が無くなり、レーダシステムとしての能力が向上する。
【図面の簡単な説明】
【００４８】
【図１】この発明の一実施の形態による光制御型アレーアンテナ装置の構成図である。
【図２】図１の光ビーム形成器の構成の一例を示す図である。
【図３】図１の送受信モジュールの構成の一例を示す図である。
【図４】図１の光制御励振機における光信号の周波数スペクトルの一例を示す図である。
【図５】図３の光ミクサの出力の周波数スペクトルの一例を示す図である。
【図６】この発明の別の実施の形態による光制御型アレーアンテナ装置における光ビーム形成器の構成の一例を示す図である。
【符号の説明】
【００４９】
１ａ〜１ｎ  光源、２ａ〜２ｎ  高周波信号源、３ａ〜３ｎ  光変調器、４ａ〜４ｎ  光高周波発生器、５ａ〜５ｎ  光搬送波信号、６ａ〜６ｎ  高周波信号、７ａ〜７ｎ，１１  光信号、８  光制御励振機、９  光多重器、１０ａ〜１０ｑ  光ファイバ、１２  光ビーム形成器、１３  分配器、１４ａ〜１４ｎ  光参照信号、１５ａ〜１５ｎ  放射端子、１６ａ〜１６ｎ  空間光強度変調器、１７，１７ａ〜１７ｎ  ビーム形成指示部、１８ａ〜１８ｎ  光搬送波信号、１９  ミラー、２０  光搬送波信号、２１  フーリエ変換レンズ、２２  光搬送波信号、２３  光合成器、２４ａ〜２４ｎ  放射端子、２５  光合成器、２６  光参照信号、２７  ビーム拡大レンズ、２８  光参照信号、２９  ミラー、３０  信号光、３１ａ〜３１ｍ  光ファイバ(ファイバアレー)、３２ａ〜３２ｍ  素子アンテナ、３３ａ〜３３ｍ  送受信モジュール、３４  光スイッチ、３５  光電変換器、３６ａ〜３６ｅ  高周波線路、３７  高周波増幅器、３８  サーキュレータ、３９  受信信号、４０  低雑音増幅器、４１  光ミクサ、４２  ポートＡ、４３  ポートＢ、４４  ポートＣ、４５  ＩＦ光信号、４６ａ〜４６ｍ  光波長分配器、４７ａ〜４７ｎ  光信号加算器、４８ａ〜４８ｎ  光通過フィルタ、４９ａ〜４９ｎ  光電変換器、５０ａ〜５０ｎ  アナログ／デジタル変換器、５１  受信信号処理器。
【図１】
2008219085.tif 000003
【図２】
2008219085.tif 000004
【図３】
2008219085.tif 000005
【図４】
2008219085.tif 000006
【図５】
2008219085.tif 000007
【図６】
2008219085.tif 000008